(57)【要約】【課題】横引き配管へ流入させる排水の流れをスムーズにすることができる排水継ぎ手を提供する。【解決手段】後方に排水する便器と横引き配管とを接続するための排水継ぎ手であって、前記横引き配管に接続される横引き管部と、前記横引き管部よりも上流側に設けられた蛇腹部と、前記蛇腹部と前記横引き管部とを接続する接続管部と、を備え、前記蛇腹部の上流側端部および下流側端部の流路断面は、互いに略同形状に形成され、前記接続管部は、前記横引き管部に対して傾斜状に接続されている。【選択図】図２
2020148023.tif 000002
【特許請求の範囲】
【請求項１】
後方に排水する便器と横引き配管とを接続するための排水継ぎ手であって、
前記横引き配管に接続される横引き管部と、
前記横引き管部よりも上流側に設けられた蛇腹部と、
前記蛇腹部と前記横引き管部とを接続する接続管部と、を備え、
前記蛇腹部の上流側端部および下流側端部の流路断面は、互いに略同形状に形成され、
前記接続管部は、前記横引き管部に対して傾斜状に接続されている
ことを特徴とする排水継ぎ手。
【請求項２】
前記蛇腹部は、上流側端部から下流側端部にかけて略直線状に延びている
ことを特徴とする請求項１に記載の排水継ぎ手。
【請求項３】
前記蛇腹部は、上面視で前記便器の前後方向に延び、
前記接続管部には、屈曲部が設けられている
ことを特徴とする請求項１または請求項２に記載の排水継ぎ手。
【請求項４】
前記屈曲部の流路を形成する面のうち、
前記屈曲部の屈曲形状における外周側には、湾曲面が形成されており、
前記屈曲部の屈曲形状における内周側には、前記湾曲面に対向する位置に屈曲面または湾曲面が形成されている
ことを特徴とする請求項３に記載の排水継ぎ手。
【請求項５】
前記屈曲部の上流側端部および下流側端部の流路断面は、互いに略同形状に形成されている
ことを特徴とする請求項３または請求項４に記載の排水継ぎ手。
【請求項６】
前記蛇腹部の上流側には、前記便器からの排水を受けるソケット部が接続され、
前記ソケット部の上流側端部は、前記蛇腹部に接続される前記ソケット部の下流側端部よりも流路径が大きい
ことを特徴とする請求項１乃至５の何れか１項に記載の排水継ぎ手。
【請求項７】
前記接続管部の下流側端部の流路壁面は、傾斜した状態で前記横引き管部と接続されている
ことを特徴とする請求項１乃至６の何れか１項に記載の排水継ぎ手。
【請求項８】
前記蛇腹部の上流側端部および下流側端部の流路断面形状は円形である
ことを特徴とする請求項１乃至７の何れか１項に記載の排水継ぎ手。
【発明の詳細な説明】
【技術分野】
【０００１】
本発明は、後方に排水する便器と横引き配管とを接続するための排水継ぎ手に関する。
【背景技術】
【０００２】
従来、例えば壁掛け式の水洗大便器に対して設けられる排水構造において、後方に排水する便器と便器の後方に位置する横引き配管とを接続する排水継ぎ手が知られている（例えば、特許文献１参照）。排水継ぎ手の下流側が接続される横引き配管は、例えば、トイレ室の壁の内部において水平状に延びるように配された排水管である。排水継ぎ手においては、特許文献１にも開示されているように、配管の一部を蛇腹状の蛇腹部にすることによって、横引き配管と便器の位置が変化する場合（例えば、寸法誤差や組み付け誤差などで変化する場合）であっても、その変化を許容することを可能とした構成が用いられている。
【０００３】
このように蛇腹部を有する排水継ぎ手については、便器から流下する汚物等の勢いを維持して下流側へ導くために、蛇腹部の上流側の開口部と下流側の開口部の端縁同士の位置関係について工夫を施した技術が提案されている（例えば、特許文献２参照。）。
【先行技術文献】
【特許文献】
【０００４】
【特許文献１】特開２００６−２９１５６９号公報
【特許文献２】特開２０１７−８２４８１号公報
【発明の概要】
【発明が解決しようとする課題】
【０００５】
特許文献２に開示されているような排水継ぎ手においては、蛇腹部の上流側端部の開口形状が円環状であり、蛇腹部の下流側端部の開口形状が楕円環状であり、蛇腹部における上流側端部と下流側端部とで流路断面の形状が異なっている。このため、蛇腹部の内部において排水の流れが乱れて、排水継ぎ手から横引き配管にスムーズに排水できないおそれがある。
【０００６】
本発明は、上述した問題点に鑑みてなされたものであり、横引き配管へ流入させる排水の流れをスムーズにすることができる排水継ぎ手を提供することを目的とする。
【課題を解決するための手段】
【０００７】
本発明に係る排水継ぎ手は、後方に排水する便器と横引き配管とを接続するための排水継ぎ手であって、前記横引き配管に接続される横引き管部と、前記横引き管部よりも上流側に設けられた蛇腹部と、前記蛇腹部と前記横引き管部とを接続する接続管部と、を備え、前記蛇腹部の上流側端部および下流側端部の流路断面は、互いに略同形状に形成され、前記接続管部は、前記横引き管部に対して傾斜状に接続されているものである。
【０００８】
このような構成の排水継ぎ手によれば、蛇腹部の上流側端部と下流側端部の流路断面が略同形状に形成されるため、蛇腹部の水が乱れることを抑制でき、蛇腹部の排水の流れをスムーズにすることができる。また、蛇腹部の下流に接続される接続管部は、横引き管部に対して斜めに傾斜するように接続されるため、蛇腹部から流れてきた排水を、横引き管部にスムーズに搬送することができる。
【０００９】
本発明に係る排水継ぎ手の他の態様は、前記排水継ぎ手において、前記蛇腹部は、上流側端部から下流側端部にかけて略直線状に延びているものである。
【００１０】
このような構成の排水継ぎ手によれば、蛇腹部においてスムーズに水を排水することができる。
【００１１】
本発明に係る排水継ぎ手の他の態様は、前記排水継ぎ手において、前記蛇腹部は、上面視で前記便器の前後方向に延び、前記接続管部には、屈曲部が設けられているものである。
【００１２】
このような構成の排水継ぎ手によれば、排水継ぎ手をよりコンパクトにできるため、排水継ぎ手の流路を短くすることができ、排水の搬送性を向上させることができる。また、排水継ぎ手を収納するライニングや壁の奥行を小さくすることができる。
【００１３】
本発明に係る排水継ぎ手の他の態様は、前記排水継ぎ手において、前記屈曲部の流路を形成する面のうち、前記屈曲部の屈曲形状における外周側には、湾曲面が形成されており、前記屈曲部の屈曲形状における内周側には、前記湾曲面に対向する位置に屈曲面または湾曲面が形成されているものである。
【００１４】
このような構成の排水継ぎ手によれば、接続管部において、排水の流れを斜め方向にスムーズに変換することができる。
【００１５】
本発明に係る排水継ぎ手の他の態様は、前記排水継ぎ手において、前記屈曲部の上流側端部および下流側端部の流路断面は、互いに略同形状に形成されているものである。
【００１６】
このような構成の排水継ぎ手によれば、接続管部において、排水の流れを斜め方向にスムーズに変換することができる。
【００１７】
本発明に係る排水継ぎ手の他の態様は、前記排水継ぎ手において、前記蛇腹部の上流側には、前記便器からの排水を受けるソケット部が接続され、前記ソケット部の上流側端部は、前記蛇腹部に接続される前記ソケット部の下流側端部よりも流路径が大きいものである。
【００１８】
このような構成の排水継ぎ手によれば、ソケット部から蛇腹部に流れる排水が、蛇腹部の壁面に当たってしまうことを抑制することができる。また、ソケット部において流速が増すため、蛇腹部内をより速く通過させることができ、蛇腹部の壁面に当たってしまうことをより抑制することができる。
【００１９】
本発明に係る排水継ぎ手の他の態様は、前記排水継ぎ手において、前記接続管部の下流側端部の流路壁面は、傾斜した状態で前記横引き管部と接続されているものである。
【００２０】
このような構成の排水継ぎ手によれば、接続管部から横引き管部へよりスムーズに排水することができる。
【００２１】
本発明に係る排水継ぎ手の他の態様は、前記排水継ぎ手において、前記蛇腹部の上流側端部および下流側端部の流路断面形状は円形であるものである。
【００２２】
このような構成の排水継ぎ手によれば、蛇腹部を流れる排水がより整流化される。また、蛇腹部と接続管部とを接続する場合、および、蛇腹部とソケット部とを接続する場合に、部品同士の接続部分における固定構造を簡略化することができる。
【発明の効果】
【００２３】
本発明によれば、横引き配管へ流入させる排水の流れをスムーズにすることができる。
【図面の簡単な説明】
【００２４】
【図１】本発明の一実施形態に係る排水継ぎ手が接続されるトイレ装置を示す上面図である。
【図２】本発明の一実施形態に係る排水継ぎ手を示す上面図である。
【図３】本発明の一実施形態に係る排水継ぎ手を示す側面図である。
【図４】本発明の一実施形態に係る横引き管部および接続管部を示す上面図である。
【図５】本発明の一実施形態に係る横引き管部および接続管部を示す斜視図である。
【図６】本発明の一実施形態に係る横引き管部および接続管部を示す正面図である。
【図７】本発明の一実施形態に係る横引き管部および接続管部を示す側面図である。
【図８】本発明の一実施形態に係る横引き管部および接続管部の内部構成を示す断面図（図６に示すＤ−Ｄ断面）である。
【図９】本発明の一実施形態に係る横引き管部および接続管部の内部構成例を示す断面図（図４に示すＢ−Ｂ断面）である。
【発明を実施するための形態】
【００２５】
本発明は、後方に排水する便器と横引き配管とを接続するための排水継ぎ手において、横引き配管に接続される横引き管部と便器側に設けられた蛇腹部とを接続する接続管部の位置や、蛇腹部の位置や流路断面等を工夫することにより、装置の簡素化を図り、排水のスムーズな流れを実現しようとするものである。以下、本発明の実施の形態について図面を参照して説明する。
【００２６】
［排水継ぎ手の使用例］
図１に示すように、本実施形態に係る排水継ぎ手１００は、後方に排水するトイレ装置１０と、横引き配管５０乃至５３とを接続するための排水継ぎ手である。図１に示す例では、１つのトイレ装置１０が設置されたトイレ室（ブース）が横並びに３つ並設されたパブリックトイレ設備を示している。図１に示すように、隣り合うトイレ室は、側壁３０によって区画されており、３つのトイレ室は、トイレ装置１０の設置態様を共通とし、３つのトイレ室の後側において、各トイレ装置１０に接続された排水継ぎ手１００の一部（後述する横引き管部１１０）と、横引き配管５０乃至５３とにより、横方向に延設された一連の排水管部が構成されている。
【００２７】
なお、図１に示す例では、排水継ぎ手１００は、トイレ室の後側の後壁２０の裏側に設けられているが、例えば、壁に対して突出するように箱状に構成されたライニングの内部に設けられる場合もある。また、図１に示す前後・左右方向は、図２乃至図５に示す前後・左右・上下方向に対応する。
【００２８】
トイレ装置１０は、洋式腰掛便器である便器１１と接続部１２とを備える。便器１１は、トイレ室の後壁２０に対して設置された壁掛け式の水洗大便器である。便器１１は、上側を開放側としてトイレ装置１０の使用者の尿や便などの排泄物を受ける凹状のボウル部を有する便器本体と、便器本体に対して設けられた便座および便蓋とを備える。また、便器１１は、後方に排水するものであり、ボウル部の底部に連通した管路の下流端には、接続部１２が設けられている。なお、便器１１の便器本体は、例えば陶器製である。
【００２９】
接続部１２は、便器１１を排水継ぎ手１００に接続するための部分であり、ボウル部において受けられた排泄物を含む排水（固液混合物）をトイレ装置１０の外部に排出する排水口を形成している。接続部１２の排水口は、後方に向けて開口している。そして、ボウル部において受けられた排泄物を含む排水（固液混合物）が、接続部１２の排水口、排水継ぎ手１００を介して、横引き配管５０乃至５３に排出される。
【００３０】
横引き配管５０乃至５３は、トイレ装置１０から排出された排水（固液混合物）を所定場所（例えば、下水道）まで流すための排水管である。また、横引き配管５０乃至５３のそれぞれは、各トイレ装置１０に接続された排水継ぎ手１００を介して互いに連結されて接続されている。また、横引き配管５０乃至５３は、トイレ装置１０から排出された排水（固液混合物）を一方向（矢印Ａ方向）に流すため、一端側（右側）から他端側（左側）に向って下り傾斜して配置される。このように、横引き配管５０乃至５３が傾斜して配置されるのに対し、例えば、各トイレ室のトイレ装置１０の排水口（例えば、トイレ装置１０の接続部１２）の床からの高さは同一である。そこで、横引き配管５０乃至５３の傾斜により生じる誤差（トイレ装置１０の排水口（例えば、トイレ装置１０の接続部１２）の床からの高さの誤差）を吸収するため、排水継ぎ手１００には、蛇腹部１３０（図２参照）が設けられている。
【００３１】
［排水継ぎ手の構成例］
次に、排水継ぎ手１００の構成について、図２乃至図９を参照して説明する。なお、図２、図３には、蛇腹部１３０およびソケット部１４０を取り付けた状態の排水継ぎ手１００の外観構成例を示す。図２には、排水継ぎ手１００の上面図を示し、図３には、排水継ぎ手１００の側面図を示す。
【００３２】
また、図４乃至図７には、蛇腹部１３０およびソケット部１４０を取り外した状態の排水継ぎ手１００の一部（横引き管部１１０および接続管部１２０）の外観構成例を示す。具体的には、図４には、横引き管部１１０および接続管部１２０の上面図を示し、図５には、横引き管部１１０および接続管部１２０の斜視図を示し、図６には、横引き管部１１０および接続管部１２０の正面図を示し、図７には、横引き管部１１０および接続管部１２０の側面図を示す。
【００３３】
また、図８、図９には、蛇腹部１３０およびソケット部１４０を取り外した状態の排水継ぎ手１００の一部（横引き管部１１０および接続管部１２０）の内部構成例を示す。具体的には、図８には、横引き管部１１０および接続管部１２０の断面図（図６に示すＤ−Ｄ断面）を示し、図９には、横引き管部１１０および接続管部１２０の断面図（図４に示すＢ−Ｂ断面）を示す。
【００３４】
図２、図３に示すように、排水継ぎ手１００は、後方に排水する便器１１と横引き配管とを接続するためのものであり、横引き配管に接続される横引き管部１１０と、横引き管部１１０よりも上流側に設けられた蛇腹部１３０と、蛇腹部１３０と横引き管部１１０とを接続する接続管部１２０と、蛇腹部１３０の上流側に設けられたソケット部１４０とを備える。本実施形態では、横引き管部１１０および接続管部１２０は、一体の部材により構成されており、かかる部材に対し、蛇腹部１３０およびソケット部１４０は、それぞれ別体の部材により構成されている。
【００３５】
横引き管部１１０、接続管部１２０およびソケット部１４０の材質は、例えば、硬質塩化ビニールである。また、蛇腹部１３０は、例えば、ゴム製である。図３に示すように、排水継ぎ手１００は、トイレ装置１０（図１参照）から排出された排水（固液混合物）を横引き配管５０乃至５３（図１参照）側に流すため、ソケット部１４０から横引き管部１１０に向って傾斜して配置される。
【００３６】
横引き管部１１０は、概ね水平方向に延びる横配管部であり、一方の端部１１１に、一側の横引き配管５１（図１参照）の接続を受け、他方の端部１１２に、他側の横引き配管５０（図１参照）の接続を受ける。横引き管部１１０は、両側の端部１１１、１１２の間の中間部を、接続管部１２０が形成された合流部１１３としている。
【００３７】
横引き管部１１０の端部１１１の内径は、横引き管部１１０の端部１１１付近の合流部１１３の内径よりも大きく形成される。また、横引き管部１１０の端部１１１には、横引き配管５１の端部が挿入されて固定される。同様に、横引き管部１１０の端部１１２の内径は、横引き管部１１０の端部１１２付近の合流部１１３の内径よりも大きく形成される。また、横引き管部１１０の端部１１２には、横引き配管５０の端部が挿入されて固定される。
【００３８】
接続管部１２０は、横引き管部１１０に対して傾斜状に接続されている。つまり、接続管部１２０は、横引き管部１１０の軸方向に対して斜めに傾斜するように形成された配管部である。接続管部１２０は、その下流側を、横引き管部１１０の前側において、合流部１１３の長手方向の略全体の範囲にわたって開口させ、下流側（後側）から上流側（前側）にかけて、徐々に管径を縮小させつつ左側から右側に片寄るように傾斜状に形成されている。横引き管部１１０に対する接続管部１２０の傾斜角度θ（図２参照）は、例えば３０度程度である。
【００３９】
また、図８に示すように、接続管部１２０の下流側端部の流路壁面１２７、１２８は、傾斜した状態で横引き管部１１０と接続されている。具体的には、接続管部１２０の下流側端部の左側の流路壁面１２７は、左右方向に沿う横引き管部１１０の軸方向に対して、右前側から左後側に向かうように、断面視で直線状をなすように傾斜している。また、接続管部１２０の下流側端部の右側の流路壁面１２８は、左右方向に沿う横引き管部１１０の軸方向に対して、右前側から左後側に向かうように、断面視で湾曲線状をなすように傾斜している。
【００４０】
このように、流路壁面１２７、１２８が斜めに傾斜した状態で横引き管部１１０と接続されるため、接続管部１２０から横引き管部１１０へスムーズに排水することができる。すなわち、接続管部１２０から横引き管部１１０へ排出された排水（固液混合物）を、横引き配管５０乃至５３の傾斜方向（矢印Ａ方向）に沿ってスムーズに流すことができる。
【００４１】
また、接続管部１２０において、横引き管部１１０側とは反対側の端部である上流側端部１２２は、円筒状に形成されており、上流側端部１２２には、蛇腹部１３０が接続されている。また、接続管部１２０においては、屈曲部１２１が設けられている。屈曲部１２１は、横引き管部１１０の軸方向に対して傾斜状に延びる接続管部１２０を、平面視において横引き管部１１０の軸方向に対して略直交する方向（直交方向）に曲げる部分である。
【００４２】
また、図８に示すように、屈曲部１２１の曲がり方向に平行な流路断面（図８に示す屈曲部１２１付近の断面）において、屈曲部１２１の流路を形成する面のうち、屈曲部１２１の外周側の流路内面には、外側湾曲面１２３が形成されている。外側湾曲面１２３は、接続管部１２０の内周面の右側の部分である。また、屈曲部１２１の曲がり方向に平行な流路断面において、屈曲部１２１の流路を形成する面のうち、屈曲部１２１の内周側の流路内面には、内側屈曲面１２４が形成されている。内側屈曲面１２４は、接続管部１２０の内周面の左側の部分において、上流側端部１２２とその下流側の部分との角部分に形成されている。すなわち、内側屈曲面１２４は、外側湾曲面１２３に対向する位置に形成されている。
【００４３】
このように、接続管部１２０の内部（屈曲部１２１の内部）において、外側湾曲面１２３および内側屈曲面１２４が形成されることにより、略直交方向（横引き管部１１０の軸方向に対する略直交方向）から斜め方向（横引き管部１１０の軸方向に対する斜め方向）に排水の流れをスムーズに変換することができる。すなわち、外側湾曲面１２３および内側屈曲面１２４が形成されることにより、排水を整流化することができる。なお、本実施形態では、外側湾曲面１２３に対向する位置に屈曲面（内側屈曲面１２４）を形成する例を示すが、外側湾曲面１２３に対向する位置を他の壁面（例えば、湾曲した壁面）とするようにしてもよい。
【００４４】
また、屈曲部１２１の上流側端部１２５の流路断面と、屈曲部１２１の下流側端部１２６の流路断面とは、互いに同形状（または、略同形状）に形成されている。ここで、屈曲部１２１の上流側端部１２５は、接続管部１２０の上流側端部１２２である。また、屈曲部１２１の下流側端部１２６は、図４に示すように、平面視において、接続管部１２０の右側の湾曲部分の合流部１１３に対する付根部から、接続管部１２０の右側の湾曲形状の接線方向に対して垂直に引いた直線Ｘ１に沿う部分である。
【００４５】
上流側端部１２５および下流側端部１２６の流路断面は、例えば、円形状（または、略円形状）や楕円形状（または、略楕円形状）である。このように、屈曲部１２１において、上流側端部１２５の流路断面形状と下流側端部１２６の流路断面形状とを互いに同形状（または、略同形状）とすることにより、横引き管部１１０の軸方向に対する略直交方向（前後方向）から斜め方向（横引き管部１１０の軸方向に対する斜め方向）に排水の流れをスムーズに変換することができる。すなわち、上流側端部１２５の流路断面と下流側端部１２６の流路断面とを同形状（または、略同形状）とすることにより、排水を整流化することができる。
【００４６】
蛇腹部１３０は、接続管部１２０およびソケット部１４０を連結するための可撓性を有する管である。すなわち、蛇腹部１３０は、接続管部１２０よりも便器１１側に接続される。また、蛇腹部１３０の下流側端部１３２は、横引き管部１１０の軸方向に対して略直交する方向（略直交方向）に延びるように接続管部１２０の上流側端部１２２に接続される。すなわち、蛇腹部１３０は、上流側端部１３１から下流側端部１３２にかけて、トイレ装置１０（図１参照）の前後方向に延びるように略直線状に形成されている。このため、蛇腹部１３０においてスムーズに排水（固液混合物）を流すことができる。また、排水が流れる場合のエネルギーロスを防ぐため、排水の経路となる蛇腹部１３０の長さ（上流側端部１３１から下流側端部１３２までの長さ）は、なるべく短くすることが好ましい。
【００４７】
また、蛇腹部１３０の下流側端部１３２の内径は、接続管部１２０の上流側端部１２２の外径と略同一に（または、少し小さく）形成される。そして、蛇腹部１３０の下流側端部１３２には、接続管部１２０の上流側端部１２２が挿入されて固定される。例えば、蛇腹部１３０の下流側端部１３２の外側面を覆うように所定のバンドで固定することができる。
【００４８】
また、蛇腹部１３０の上流側端部１３１には、ソケット部１４０の下流側端部１４２が接続される。また、蛇腹部１３０の上流側端部１３１の内径は、ソケット部１４０の下流側端部１４２の外径と略同一に（または、少し小さく）形成される。そして、蛇腹部１３０の上流側端部１３１には、ソケット部１４０の下流側端部１４２が挿入されて固定される。例えば、蛇腹部１３０の上流側端部１３１の外側面を覆うように所定のバンドで固定することができる。
【００４９】
また、蛇腹部１３０の上流側端部１３１の流路断面（排水の流れ方向に直交する断面）と、蛇腹部１３０の下流側端部１３２の流路断面（排水の流れ方向に直交する断面）とは、互いに同形状（または、略同形状）に形成されている。このように、蛇腹部１３０の上流側端部１３１および下流側端部１３２の流路断面を互いに同形状（または、略同形状）に形成することにより、蛇腹部１３０の内部において排水が乱れることを抑制することができ、蛇腹部１３０の排水の流れをスムーズにすることができる。
【００５０】
特に、本実施形態では、蛇腹部１３０の上流側端部１３１および下流側端部１３２の流路断面形状は、円形となっている。蛇腹部１３０の上流側端部１３１および下流側端部１３２の流路断面を円形状（または、略円形状）とすることにより、蛇腹部１３０を流れる排水をより整流化することができる。また、蛇腹部１３０の下流に配置される接続管部１２０は、横引き管部１１０に対して斜め方向に接続されているため、蛇腹部１３０から流れてきた排水を、横引き管部１１０にスムーズに搬送することができる。なお、蛇腹部１３０の上流側端部１３１および下流側端部１３２の流路断面形状は、円形状のほか、例えば楕円形状（または、略楕円形状）等であってもよい。
【００５１】
また、蛇腹部１３０の上流側端部１３１の流路断面を円形状（または、略円形状）とし、これと接続されるソケット部１４０の下流側端部１４２も円形状（または、略円形状）とすることにより、上流側端部１３１と下流側端部１４２との密着性を高めることができる。同様に、蛇腹部１３０の下流側端部１３２の流路断面を円形状（または、略円形状）とし、これに対応する接続管部１２０の上流側端部１２２も円形状（または、略円形状）とすることにより、下流側端部１３２と上流側端部１２２との密着性を高めることができる。
【００５２】
このように、蛇腹部１３０の上流側端部１３１および下流側端部１３２の流路断面を円形状（または、略円形状）とすることにより、対応する部分との密着性を高めることができるため、各部品を接続する場合に接着剤を用いずに固定（例えば、緊結バンド金具等の所定のバンドで固定）することができる。すなわち、緊結バンド金具等によって配管部品同士の接続部分を固定する際、断面形状が円形状である方が、楕円形状である場合と比べて、バンドによる締付け力を全周にわたって均等にすることができる。このため、バンドによって十分な固定力を容易に得ることができるので、接着剤等によって補強することが不要となり、接着剤を使用せずに所定のバンドのみで固定することができる。このため、配管部品同士の接続部分における固定構造を簡略化することができるので、製造工程を短縮することができるとともに、製造コストを低減させることができる。
【００５３】
また、接続管部１２０には屈曲部１２１が設けられ、蛇腹部１３０は前後方向（横引き管部１１０の軸方向に対して略直交する方向（略直交方向））に延びるため、排水継ぎ手１００をよりコンパクトにすることができる。また、排水継ぎ手１００の流路を短くすることができ、排水継ぎ手１００の内部における搬送性を向上させることができる。また、排水継ぎ手１００を収納するライニングの奥行を小さくすることができる。
【００５４】
ここで、仮に、蛇腹部１３０に屈曲部を設けた場合を想定する。この場合には、蛇腹部１３０の内部構造（蛇腹構造）により排水の搬送性が低下するおそれがある。例えば、流水が柔らかい部分に当たると、その水の流れが弱まる可能性がある。また、流水が蛇腹状の部分に当たると、その蛇腹の構造により水の流れが弱まる可能性がある。このため、水の搬送性を高めるためには、流水が当たる部分（例えば、屈曲部）には比較的堅い素材であって内部の壁面が滑らかな素材を用いることが好ましい。そこで、本実施形態では、蛇腹部１３０は略直線状とし、流水が多く当たると想定される屈曲部１２１には、比較的堅く内部の壁面が滑らかな素材を用いるようにする。
【００５５】
また、仮に、蛇腹部１３０よりも上流に屈曲部を設けた場合を想定する。この場合には、蛇腹部１３０と横引き管部１１０が干渉するため、蛇腹部１３０の前後方向（トイレ装置１０の前後方向）の幅が必要になる。このため、排水継ぎ手１００が大型化してしまうおそれがある。これに対して、本実施形態では、蛇腹部１３０の下流に屈曲部１２１を設けるため、排水の搬送性を向上させることができ、排水継ぎ手１００を小型化することができる。
【００５６】
蛇腹部１３０の上流側には、便器１１からの排水を受けるソケット部１４０が接続されている。ソケット部１４０は、トイレ装置１０の接続部１２（図１参照）に排水継ぎ手１００を接続するための接続部材である。ソケット部１４０は、トイレ装置１０の接続部１２の排水口に連結される上流側端部（排水口接続部）１４１と、蛇腹部１３０の上流側端部１３１に接続される下流側端部１４２とを備える。また、トイレ装置１０（図１参照）から排出された排水（固液混合物）を横引き配管５０乃至５３（図１参照）側に流すため、図３に示すように、排水継ぎ手１００が傾斜して配置される。このため、下流側端部１４２の開口部は、上流側端部（排水口接続部）１４１の開口部に対して傾斜するように形成される。
【００５７】
上述したように、ソケット部１４０の下流側端部１４２の外径は、蛇腹部１３０の上流側端部１３１の内径と略同一に（または、少し大きく）形成される。また、ソケット部１４０の上流側端部１４１の内径は、トイレ装置１０の接続部１２の排水口の外径と略同一に（または、少し小さく）形成される。そして、トイレ装置１０の接続部１２の排水口には、ソケット部１４０の上流側端部１４１が挿入されて固定される。
【００５８】
また、ソケット部１４０の上流側端部１４１の流路径は、蛇腹部１３０に接続されるソケット部１４０の下流側端部１４２の流路径よりも大きく形成される。ソケット部１４０は、上流側端部１４１側から下流側端部１４２側にかけて円形状の流路断面の径を徐々に小さくしたテーパ形状部を有する。このように、上流側端部１４１の径を下流側端部１４２の径よりも大きく形成することにより、ソケット部１４０において上流側から下流側にかけて流路が絞られることから、ソケット部１４０から蛇腹部１３０に流れる排水が、蛇腹部１３０の内壁面に当たってしまうことを抑制することができる。また、上流側端部１４１の径を下流側端部１４２の径よりも大きく形成することにより、上流から下流へ進む排水の流速が増すため、蛇腹部１３０の内部をより速く通過させることができ、蛇腹部１３０の内壁面に当たってしまうことをより抑制することができる。
【００５９】
このように、本実施形態によれば、蛇腹部１３０の上流側端部１３１と下流側端部１３２とを同形状（または、略同形状）とし、蛇腹部１３０の下流側端部１３２と横引き管部１１０との接続管部１２０を、横引き管部１１０に対して斜めに接続することにより、壁掛け大便器の搬送性能を向上させることができる。
【００６０】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００６１】
１０  トイレ装置
１１  便器
１２  接続部
５０〜５３  横引き配管
１００  排水継ぎ手
１１０  横引き管部
１１１、１１２  端部
１１３  合流部
１２０  接続管部
１２１  屈曲部
１２２  上流側端部
１２３  外側湾曲面
１２４  内側屈曲面
１２５  上流側端部
１２６  下流側端部
１２７、１２８  流路壁面
１３０  蛇腹部
１３１  上流側端部
１３２  下流側端部
１４０  ソケット部
１４１  上流側端部
１４２  下流側端部
【図１】
2020148023.tif 000003
【図２】
2020148023.tif 000004
【図３】
2020148023.tif 000005
【図４】
2020148023.tif 000006
【図５】
2020148023.tif 000007
【図６】
2020148023.tif 000008
【図７】
2020148023.tif 000009
【図８】
2020148023.tif 000010
【図９】
2020148023.tif 000011